(57)【要約】【課題】  平面上の設置面積を小さくしてメンテナンス性を向上し、見栄えがよく出荷作業が容易に行える印刷機を提供することを目的とする。【解決手段】  本発明にかかる印刷機は、印刷ユニット５の下部に貯留される潤滑油を回収し、吐出する循環ポンプ７３を用いて各部に潤滑油を供給する給油ユニット５３を有する枚葉印刷機１であって、給油ユニット５３が、印刷ユニット５の外面に、該外面に沿うように取り付けられていることを特徴とする。【選択図】      図４
2007331161.tif 000002
【特許請求の範囲】
【請求項１】
印刷ユニットの下部に貯留される潤滑油を回収し、吐出するポンプを用いて各部に潤滑油を供給する給油ユニットを有する印刷機であって、
前記給油ユニットが、前記印刷ユニットの外面に、該外面に沿うように取り付けられていることを特徴とする印刷機。
【請求項２】
前記ポンプは、上下方向に延在するように取り付けられていることを特徴とする請求項１に記載された印刷機。
【請求項３】
前記給油ユニットは、複数配列された前記印刷ユニットの中央付近に位置する前記印刷ユニットに取り付けられていることを特徴とする請求項１または請求項２に記載された印刷機。
【請求項４】
前記印刷ユニットには、それぞれ前記ポンプを取付ける取付座が備えられていることを特徴とする請求項３に記載された印刷機。
【発明の詳細な説明】
【技術分野】
【０００１】
本発明は、印刷機に関するものである。
【背景技術】
【０００２】
印刷機には、下部に貯留される潤滑油を回収し、各給油先まで搬送する給油ユニットが備えられている。
この給油ユニットは、例えば、特許文献１に示されるように、印刷機の駆動側で、かつ、印刷機から離れた位置に設置されている。
【０００３】
【特許文献１】特開平５−２３７９９７号公報
【発明の開示】
【発明が解決しようとする課題】
【０００４】
印刷機の駆動側には、印刷機を駆動するモータ、洗浄のために洗浄液を供給するポンプあるいは枚葉紙の搬送姿勢を調整する空気噴射用のブロア等が設置されているが、特許文献１に示されるものは、給油ユニットの設置面積が大きくなるため、これらの機器に対するメンテナンスを行うスペースが制限されるという問題があった。
これにより、例えば、各機器を広い場所に移動させてメンテナンス作業を行うようにするため、各機器が一層大型化するという問題もあった。
また、印刷機と給油ユニットとを結ぶ配管が、幅方向に長く延在するので、外観が悪く、かつ、床の清掃作業が困難となる問題があった。
さらに、試運転を行った後、製品を出荷する場合、印刷機と給油ユニットとを分離させ、個別に出荷することになり、その解体作業に手間がかかるという問題があった。
【０００５】
本発明は、上記問題点に鑑み、平面上の設置面積を小さくしてメンテナンス性を向上し、見栄えがよく、印刷機の出荷作業が容易に行える印刷機を提供することを目的とする。
【課題を解決するための手段】
【０００６】
上記課題を解決するために、本発明は以下の手段を採用する。
すなわち、本発明にかかる印刷機は、印刷ユニットの下部に貯留される潤滑油を回収し、吐出するポンプを用いて各部に潤滑油を供給する給油ユニットを有する印刷機であって、前記給油ユニットが、前記印刷ユニットの外面に、該外面に沿うように取り付けられていることを特徴とすることを特徴とする。
【０００７】
このように、給油ユニットが、印刷ユニットの外面に、該外面に沿うように取り付けられているので、給油ユニットの印刷ユニットからの突出長さを極小とすることができる。
給油ユニットの突出長さが小さくなると、給油ユニットの外側に十分な作業空間を確保することができる。例えば、この空間を活用して給油ユニットおよび隣り合う機器のメンテナンスを行うことができるので、メンテナス性を格段に向上させることができる。
また、配管も略印刷ユニットに沿うように配置できるので、外観を向上でき、かつ、床の清掃作業をより容易とすることができる。
さらに、給油ユニットが印刷ユニットに取り付けられているので、製品出荷時印刷ユニットと一緒に出荷できる。これにより、配管の解体作業等が不要となるので、出荷作業の時間を短縮することができる。
【０００８】
また、本発明にかかる印刷機では、前記ポンプは、上下方向に延在するように取り付けられていることを特徴とする。
【０００９】
このように、ポンプは、上下方向に延在するように取り付けられているので、印刷紙搬送方向における長さを小さくすることができる。
これにより、例えば、ギアケースカバー等と干渉することを避けて、給油ユニットを設置することができる。
【００１０】
また、本発明にかかる印刷機では、前記給油ユニットは、複数配列された前記印刷ユニットの中央付近に位置する前記印刷ユニットに取り付けられていることを特徴とする。
【００１１】
このように、給油ユニットは、複数配列された印刷ユニットの中央付近に位置する印刷ユニットに取り付けられているので、給油圧が印刷ユニットで大きく変化することを防止できる。
この場合、ポンプの給油管は、印刷ユニット側の給油配管の略中間部に接続するのが好適である。
なお、ここで、「中央付近に」とは、例えば、偶数の印刷ユニットが備えられている場合には、中央部に隣り合う前後の印刷ユニットのいずれかを指すものである。
この場合、ポンプは中央に近い位置に設置するのが、配管長さ等の面からみて好適である。
また、ポンプの吸込み側を中央に近い位置に配置するのが好適である。このようにすると、ポンプの回収管の長さを短くできるので、排油の圧力損失を小さくできる。これにより、排油の回収がスムースに行えるので、潤滑油の供給が途切れる等の不具合が発生するのを防止できる。
【００１２】
また、本発明にかかる印刷機では、前記印刷ユニットには、それぞれ前記ポンプを取付ける取付座が備えられていることを特徴とする。
【００１３】
このように、印刷ユニットには、それぞれ前記ポンプを取付ける取付座が備えられているので、複数の印刷ユニットを組立てた状態で中央付近にある印刷ユニットに給油ユニットを取付けることができる。
これにより、印刷ユニットの組合せが自在に行えるので、印刷ユニットを量産化しても、販売時に予想できない顧客ニーズに容易に対応することができる。
【発明の効果】
【００１４】
本発明によれば、給油ユニットが、印刷ユニットの外面に、該外面に沿うように取り付けられているので、メンテナンス性を格段に向上させることができる。
また、配管も略印刷ユニットに沿うように配置できるので、外観を向上でき、かつ、床の清掃作業をより容易とすることができる。
さらに、給油ユニットが印刷ユニットに取り付けられているので、出荷作業の時間を短縮することができる。
【発明を実施するための最良の形態】
【００１５】
以下に、本発明の一実施形態にかかる枚葉印刷機（印刷機）１について、図１〜図７を用いて説明する。
図１は、枚葉印刷機１の全体概略構成を示す模式図である。
枚葉印刷機１には、被印刷物である枚葉紙が供給される上流側から下流側に向けて、給紙装置３と、複数の印刷ユニット５と、排紙装置７とが備えられている。
給紙装置３は、紙吸いなどの図示しない給紙機構によって給紙台１１の上に積層された枚葉紙（印刷紙）９を上から順に一枚ずつ取上げて供給するものである。
給紙台１１は、給紙機構が枚葉紙９と略一定の位置関係を保つように枚葉紙９の供給に対応して上動するように構成されている。
【００１６】
印刷ユニット５は、印刷する色ごとに複数設けられている。本実施形態では、Ｃ（シアン），Ｍ（マゼンダ），Ｙ（イエロー）及びＢＬ（ブラック）からなる４色の色によって印刷する４色機が示されており、４つの印刷ユニット５が設けられている。
なお、以下、印刷ユニット５を区別する場合には、給紙装置３側から順に５ａ、５ｂ、５ｃ、５ｄの符号を用いることにする。
【００１７】
各印刷ユニット５には、インキを供給するインキ装置１３と、湿し水を供給する湿し装置１５と、これらインキ装置１３と湿し装置１５に対向配置された版胴１７と、この版胴１７に対向配置されたゴム胴（ブランケット胴）１９と、このゴム胴１９に対向配置された圧胴２１と、各印刷ユニット５の圧胴２１間に配置される中間胴２３とが備えられている。
【００１８】
インキ装置１３は、複数のインキローラを備えており、インキが貯留されたインキ壺から順次インキを版胴１７側へと供給するようになっている。
湿し装置１５は、複数のローラを備えており、水舟に貯留された湿し水を版胴１７側へ供給するようになっている。
インキ装置１３および湿し装置１５は、印刷を行わない非印刷時等には、版胴１７から離間させられることができるように構成されている。
【００１９】
版胴１７は、印刷用画像が形成された刷版が外周に巻回された円筒状とされている。刷版は、色毎、印刷すべき画像毎に作成され、交換される。版胴１７は、図示していないが、外周の一部の角度範囲が軸線方向に切り欠かれた状態となっており、この位置に、刷版の上流端である版頭および刷版の下流端である版尻を掴んで固定する版締め装置が設けられている。
【００２０】
ゴム胴１９は、版胴１７の刷版上のインキを受け取り、圧胴２１との間を通過する枚葉紙９に対してインキを転移する（オフセット印刷）。ゴム胴１９の外周には、弾性材料、例えばゴムで形成されたブランケット２９が巻回されている。
ゴム胴１９は、図示しないが、外周の一部の角度範囲が軸線方向に切り欠かれた状態となっており、この位置に、ブランケットの上流端および下流端を掴んで固定する一対のゴム張り軸が設けられている。
ゴム胴１９は、印刷を行わない非印刷時等には、版胴１７から離間させることができるように構成されている。
【００２１】
圧胴２１は、ゴム胴１９に対向配置され、円筒状とされている。圧胴２１は、版胴１７およびゴム胴１９の直径の２倍の直径を有する、いわゆる倍胴仕立てとされている。
圧胴２１の周面には、枚葉紙９の先端を保持する爪装置（図示省略）が軸線中心を挟んで２ヶ所に備えられている。圧胴２１は、印刷時に枚葉紙９を介してゴム胴１９に接触し、ゴム胴１９との間に供給される枚葉紙９に対して所望の圧力を与える。これにより、ゴム胴１９上のインキを枚葉紙９上に転移させる。
【００２２】
中間胴２３は、各印刷ユニット５の圧胴２１間に設けられ、円筒状とされている。中間胴２３は、給紙装置３側のものを除いて版胴１７およびゴム胴１９の直径の２倍の直径を有する、いわゆる倍胴仕立てとされている。
中間胴２３の周面には、枚葉紙９の先端を保持する爪装置（図示省略）が軸線中心を挟んで２ヶ所に備えられている。中間胴２３によって、上流側の圧胴２１から下流側の圧胴２１へと被印刷物が送られる。
【００２３】
上述のインキ装置１３、湿し装置１５、版胴１７、ゴム胴１９、圧胴２１および中間胴２３は、それらの周速が略一致するように枚葉印刷機１に設けられた一つのメインモータ（図示せず）によって回転させられる。
つまり、メインモータからの回転力がギアを介して各部材に伝達されるようになっている。
【００２４】
排紙装置７には、チェーングリッパ２５と、排紙台２７とが備えられている。
チェーングリッパ２５は、最終の印刷ユニット５の圧胴２１に隣接する位置と排紙台２７の上方位置とを循環移動する一対のチェーンと、その間を連結するくわえ棒と、くわえ棒に所定間隔を空けて設置された爪装置と、を備え、圧胴２１から枚葉紙９を受取って排紙台２７の上方位置まで搬送するものである。
排紙台２７は、上下方向に移動可能に構成され、チェーングリッパ２５から排出される枚葉紙９を積層して保持する。
排紙台２７は、枚葉紙９の落下距離が略一定となるように徐々に下動するように制御されている。
【００２５】
図２は、枚葉印刷機１の駆動側から見た正面図である。図３は、図２のＸ−Ｘ断面図である。
駆動側フレーム２８の外側には、図示しない駆動ギア列を覆うように駆動側ケース３０が略全面に亘り設けられている。図示しない操作側フレームの外側には、同様に操作側ケース３２が設けられている。
【００２６】
印刷ユニット５の駆動側側面には、略中間高さに作業用の足場２９が、全ての印刷ユニット５の枚葉紙９搬送方向の略全長に亘り設けられている。足場２９は、例えば、版替え作業、印刷胴の洗浄作業、インキング装置の洗浄作業等の作業を行うためのものである。
足場２９の印刷ユニット５側は印刷ユニット５に支持され、他側（外側）は長手方向に間隔を空けて配置された複数の支持脚３１によって支持されている。
足場の上面における外側には、長手方向に間隔を空けて配置された複数の支柱３３が立設されている。
【００２７】
各支柱３３の中間高さ位置には手摺３５が、上端部には物置台３７が取り付けられている。
足場２９の下方空間３９には、床面上に、例えば、印刷機１を駆動するモータ（図示略）、ゴム胴１９等の洗浄のために洗浄液を供給するポンプ（図示略）、印刷ユニット５における枚葉紙９の搬送姿勢を調整する空気噴射用のブロア４１、排紙装置７における枚葉紙９の搬送姿勢を調整する空気噴射用のブロア４３等が設置されている。
【００２８】
下方空間３９の外側には、カバー４５が取り付けられている。
カバー４５は、複数、例えば、４枚のカバーユニット４７ａ、４７ｂ、４７ｃ、４７ｄで形成されており、下方空間３９の外側を覆うように設けられている。
【００２９】
枚葉印刷機１には、潤滑システム５１が備えられている。図４は、潤滑システム５１の全体構成を示す模式図である。
潤滑システム５１には、給油ユニット５３と、給油配管部５５と、回収配管部５７とがそなえられている。
給油配管部５５には、主給油配管５９と、分岐給油配管６１と、オイルパン６３と、が備えられている。
主給油配管５９は、駆動側ケース３０内および排紙部ケース３４内の下部位置に、印刷ユニット５ａから排紙装置７まで貫通するように設けられている。
【００３０】
オイルパン６３は、各駆動側ケース３０および各操作側ケース３２の上部位置に配置され、供給された潤滑油を溜め、下方に向けて滴下させる機能を奏する。
分岐給油配管６１は、主給油配管５９と各オイルパン６３とを連絡するように設置され、主給油配管５９を搬送される潤滑油を各オイルパン６３に供給する機能を奏する。
各分岐給油配管６１には、流量調整弁６５が備えられている。
【００３１】
回収配管部５７には、油溜６７と、駆動側回収配管６９と、操作側回収配管７１とが備えられている。
油溜６７は、各駆動側ケース３０内および各操作側ケース３２内の下端部に配置された上に開放された容器である。
油溜６７は、上方のオイルパン６３から供給され、所定部分を潤滑した後、落下して来る潤滑油を受取り貯留するものである。
駆動側回収配管６９は、隣り合う駆動側の油溜６７および排紙部ケース３４を連結している。
操作側回収配管７１は、各印刷ユニット５内で、操作側の油溜６７と駆動側の油溜６７とを連結している。
【００３２】
給油ユニット５３は、３色目の印刷ユニット５ｃの駆動側ケース３０の外側面で、給紙装置３側下部に取り付けられている。
給油ユニット５３には、循環ポンプ（ポンプ）７３と、回収配管７５と、給油配管７７とが備えられている。
循環ポンプ７３は、例えば電動トロコイドポンプが用いられる。
循環ポンプ７３には、ポンプ側取付座７４が備えられている。循環ポンプ７３は、ポンプ側取付座７４が駆動側ケース３０の給紙装置３側に設けられた取付座７９にボルトによって固定されることで、駆動側ケース３０に固定して取り付けられる。
【００３３】
取付座７９は、全ての印刷ユニット５に設けられている。
このように、取付座７９を全ての印刷ユニット５に取付けるので、複数の印刷ユニット５を組立てた状態で中央付近にある印刷ユニット５に給油ユニット５３を取付けることができる。
これにより、印刷ユニット５の組合せが自在に行えるので、印刷ユニット５を量産化しても予想できない顧客ニーズに容易に対応することができる。
【００３４】
循環ポンプ７３は、その長手方向が上下方向に沿うようにして取り付けられている。
このため、循環ポンプ７３の枚葉紙９搬送方向における長さを小さくすることができるので、循環ポンプ７３はギアケースカバー７６と干渉しないように設置することができる。なお、ギアケースカバー７６は、駆動側ケース３０内の落下物等を排除したり、内部を点検する等のために設けられた開口を覆うものである。
循環ポンプ７３の吸入部は、給紙装置３側に向いて設けられ、吐出部は排紙装置７側に設けられている。
【００３５】
回収配管７５は、一端が循環ポンプ７３の吸入部に接続され、他端が２色目の印刷ユニット５ｂの油溜６７と３色目の印刷ユニット５ｃの油溜６７とを連結する駆動側回収配管６９に接続されている。回収配管７５の他端が接続されている位置は、２色目の印刷ユニット５ｂと３色目の印刷ユニット５ｃとの境あたりである。
給油配管７７は、一端が循環ポンプ７３の吐出部に接続され、他端が主給油配管５９における２色目の印刷ユニット５ｂと３色目の印刷ユニット５ｃとの境目あたりに接続されている。
【００３６】
給油配管７７には、潤滑油中のゴミ等を除去するＴ型フィルタ８１と、給油配管７７内の圧力を測定する圧力計８３と、圧力スイッチ８５と、潤滑油の供給量を調整する流量調整弁８７と、が備えられている。
給油配管７７は、吐出部から流量調整弁８７までは、固定した配管で形成され、流量調整弁８７から下流側はフレキシブルホースで構成されている。
給油配管７７の固定した配管部分は、循環ポンプ７３の吐出部から排紙装置７側へ直線的に延在するように、すなわち、駆動側ケース３０の外面に沿うように設置されている。
給油配管７７のＴ型フィルタ８１の上流側には、ドレン配管８９が分岐して設けられている。ドレン配管８９には、ドレン配管８９の開閉を行う玉型弁９１が設けられている。
【００３７】
以上、説明した本実施形態にかかる枚葉印刷機１の動作について説明する。
まず、枚葉印刷機１の印刷動作について説明する。
給紙装置３の給紙台１１に積載された厚い枚葉紙９は、図示しない給紙機構によって最上部から１枚ずつ取り出され、印刷ユニット５に供給される。
供給された枚葉紙９は、印刷ユニット５の中間胴２３の爪装置によってくわえられ、次いで中間胴２３から圧胴２１へくわえ替えされる。これを繰り返して４つの印刷ユニット５を通して搬送される。
【００３８】
各印刷ユニット５では、版胴１７の周面に取付けられた刷版の非画線部に湿し装置１５から水が供給され、次いで刷版の画線部にインキ供給装置１３からインキが供給される。
これにより得られる刷版上の印刷画像がゴム胴１９に転写される。
ゴム胴１９に転写された印刷画像は、圧胴２１によって運ばれる枚葉紙９に転写され、１色の印刷が行われる。
これが各印刷ユニット５で繰り返されカラー印刷される。
【００３９】
カラー印刷された枚葉紙９は最後の印刷ユニット５の圧胴２１からチェーングリッパ２５の爪装置にくわえ替えされる。
チェーングリッパ２５で搬送される枚葉紙９は、排紙台２７の上方でくわえを外され、落下し、排紙台２７上に積み上げられる。
このとき、未乾燥のインキが上側の枚葉紙９の裏に写るのを防止するため、枚葉紙９の上にパウダが噴霧される。
【００４０】
次に、潤滑システム５１の動作について説明する。
循環ポンプ７３が駆動されると、吐出部から潤滑油が給油配管７７に圧送される。給油配管７７に圧送された潤滑油は、Ｔ型フィルタ８１でゴミ等を除去され、流量調整弁８７で流量を調整され、主給油配管５９に送られる。
主給油配管５９で送られる潤滑油は、各分岐給油配管６１を通って、各オイルパン６３に溜められる。
【００４１】
この時、本実施形態では、給油配管７７は、印刷ユニット５の列配置の略中間あたりになる、主給油配管５９における２色目の印刷ユニット５ｂと３色目の印刷ユニット５ｃとの境目あたりに接続されているので、この接続部から１色目の印刷ユニット５ａの分岐給油配管６１までの距離と、４色目の印刷ユニット５ｄの分岐給油配管６１までの距離とは、略同等となる。
したがって、１色目および４色目の印刷ユニット５までの潤滑油の圧力損失は略同等となり、しかも圧力損失の大きさも、例えば１色目の印刷ユニット５に供給した場合の４色目の印刷ユニット５での圧力損失に比べて小さくすることができる。
言い換えると、給油圧が各印刷ユニット５で大きく変化することを防止できる。
【００４２】
潤滑油は、各オイルパン６３から駆動側ケース３０あるいは操作側ケース３２内の各給油先、例えば、駆動ギア列等に対して滴下される。潤滑作用を果たした潤滑油は、駆動側ケース３０あるいは操作側ケース３２内を落下し、各油溜６７に貯留される。
一方、潤滑ポンプ７３の駆動によって、吸引部では吸引力が発生し、それが回収配管７５内の潤滑油に作用する。これが、２色目の印刷ユニット５ｂの油溜６７と３色目の印刷ユニット５ｃの油溜６７とを連結する駆動側回収配管６９に作用するので、該駆動側回収配管６９を介して２色目の印刷ユニット５ｂの油溜６７および３色目の印刷ユニット５ｃの油溜６７に貯留された潤滑油が吸引され循環ポンプ７３に回収される。
【００４３】
２色目の印刷ユニット５ｂの油溜６７および３色目の印刷ユニット５ｃの油溜６７に貯留された潤滑油が回収されると、当該油溜６７の油圧が下がるので、循環ポンプ７３から離れる側の隣りの油溜６７から駆動側回収配管６９あるいは操作側回収配管７１を経由して潤滑油が循環ポンプ７３側に流れる。これが、順次波及して、各油溜６７に貯留された潤滑油が循環ポンプ７３に回収される。
上記動作が連続して行われることによって、各給油先への潤滑油の供給が的確に行われる。
【００４４】
この場合、循環ポンプ７３の吐出部は、３色目の印刷ユニット５ｃの給紙装置３側に向いているので、２色目の印刷ユニット５ｂと３色目の印刷ユニット５ｃとの境目に近いところに位置していることになる。
したがって、吐出部は、回収配管７５が駆動側回収配管６９に接続される場所に近いところに位置することになるので、回収配管７５の長さを短くできる。これにより、回収配管７５での潤滑油の圧力損失を小さくできるので、潤滑油の回収がスムースに行え、潤滑油の供給が途切れる等の不具合が発生するのを防止できる。
【００４５】
循環ポンプ７３が、図３に示されるように駆動側ケース３０の外面に、該外面に沿うように取り付けられているので、循環ポンプ７３の駆動側ケース３０から外側に向かう突出長さを極小とすることができる。
また、循環ポンプ７３の吐出部および吸入部が枚葉紙９搬送方向に位置しているので、給油配管７７および回収配管７５は、駆動側ケース３０の外面に沿うように配置され、循環ポンプ７３からあまり外側に突出していない。
これらにより、給油ユニット７３の駆動側ケース３０の外面に突出する長さが小さくなるので、給油ユニット５３の外側に十分な作業空間を確保することができる。
この空間に作業員が入って、給油ユニット７３、隣り合う機器ブロア４１あるいはブロア４３のメンテナンスを行うことができるので、メンテナンス性を格段に向上させることができる。
【００４６】
また、給油配管７７および回収配管７５は印刷ユニット５の外側に離れて存在しないので、見栄えが向上し、かつ、床の清掃作業をより容易とすることができる。
さらに、給油ユニット５３が印刷ユニット５に外側にあまり突出することなく取り付けられているので、製品出荷時、印刷ユニット５と一緒に一体として出荷できる。
これにより、給油配管７７および回収配管７５の解体作業等が不要となるので、出荷作業の時間を短縮することができる。
【００４７】
なお、本実施形態では、本発明を４色刷の枚葉印刷機１に適用したものとして説明しているが、これに限定されるものではない。
例えば、適宜数の印刷ユニット５を有する枚葉印刷機１に本発明を適用してもよい。
印刷ユニット５が奇数の場合には、給油ユニット５３は、真ん中の印刷ユニット５に取り付ける。印刷ユニット５が偶数の場合には、印刷ユニットの構造から見て、給油ユニット５３は、本実施形態と同様に真ん中の２つの印刷ユニット５のうち、排紙装置７側の印刷ユニット５に取付けるのが好適である。
【００４８】
また、本実施形態では、枚葉印刷機に適用しているが、本発明は輪転印刷機等適宜な形式の印刷機に適用することができる。
さらに、本発明は本実施形態に限定されるものではなく、本発明の要旨を逸脱しない範囲内において適宜変更することができる。
【図面の簡単な説明】
【００４９】
【図１】本発明の一実施形態にかかる枚葉印刷機の駆動側から見た全体概略構成を示す正面図である。
【図２】本発明の一実施形態にかかる枚葉印刷機の駆動側から見た正面図である。
【図３】図２のＸ−Ｘ断面図である。
【図４】本発明の一実施形態にかかる潤滑システムの概略構成を示す模式図である。
【図５】本発明の一実施形態にかかる給油ユニットの全体概略構成を示す正面図である。
【図６】本発明の一実施形態にかかる給油ユニットを示す平面図である。
【図７】図６のＹ−Ｙ断面図である。
【符号の説明】
【００５０】
１  枚葉印刷機
５  印刷ユニット
３０  駆動側ケース
３２  操作側ケース
５３  給油ユニット
７３  循環ポンプ
７９  取付座
【図１】
2007331161.tif 000003
【図２】
2007331161.tif 000004
【図３】
2007331161.tif 000005
【図４】
2007331161.tif 000006
【図５】
2007331161.tif 000007
【図６】
2007331161.tif 000008
【図７】
2007331161.tif 000009